(57)【要約】【課題】  湿度の変化に伴う筬の変形を抑制でき、それにより、鍵の適正な取付け状態を維持し、鍵の安定したタッチ感と適正な動作を確保できるとともに、環境への負荷を軽減することができる鍵盤楽器の筬を提供する。【解決手段】  ピン孔３ｃ、３ｄを有する複数の鍵３を載置した状態で支持する鍵盤楽器の筬１１であって、上下方向に積層されたおよび／または前後方向に接合された複数の竹材１９、２３で構成され、左右方向に延びる筬本体１７、２１、と、筬本体１７、２１に立設され、鍵３がピン孔３ｄ、３ｃを介して係合するピン１８、２２と、を備えている。【選択図】  図２
2009169083.tif 000002
【特許請求の範囲】
【請求項１】
ピン孔を有する複数の鍵を載置した状態で支持する鍵盤楽器の筬であって、
上下方向に積層されたおよび／または前後方向に接合された複数の竹材で構成され、左右方向に延びる筬本体と、
当該筬本体に立設され、前記鍵が前記ピン孔を介して係合するピンと、
を備えていることを特徴とする鍵盤楽器の筬。
【請求項２】
前記複数の竹材は、上下方向に積層されるとともに、前後方向に接合されており、
前記ピンは、互いに隣接する前後２つの前記竹材の接合部以外の部位に立設されていることを特徴とする、請求項１に記載の鍵盤楽器の筬。
【発明の詳細な説明】
【技術分野】
【０００１】
本発明は、複数の鍵を載置し、支持する鍵盤楽器の筬に関する。
【背景技術】
【０００２】
従来の鍵盤楽器の筬として、例えば特許文献１に開示されたものが知られている。この筬は、鍵盤の前端部の下側に配置され、左右方向に延びる筬前と、鍵盤の前後方向の中央の下側に配置され、左右方向に延びる筬中を有している。筬前には多数のフロントピンが、筬中には多数のバランスピンが、鍵ごとに立設されている。一方、各鍵の前端部の下面にはフロントピン穴が形成され、前後方向の中央にはバランスピン孔が形成されている。鍵は、そのフロントピン穴がフロントピンに係合した状態で、筬中に回動自在に支持されている。また、鍵のバランスピン孔はバランスピンに係合しており、それにより、回動時、鍵の前端部が左右にぶれないように案内される。
【０００３】
筬前および筬中はいずれも、複数のブロック材で構成されている。これらのブロック材は、各々が左右方向に延びるとともに、前後方向に互いに継ぎ合わされている。また、複数のブロック材のうち、フロントピンやバランスピンが立設されるブロック材は、十分な強度とピンの保持力を確保するため、ブナやカエデなどから成る複数の硬木を上下方向に積層した合板で構成される一方、他のブロック材は、筬全体として適度な強度と軽量性を得るため、硬木よりも軟らかい、むくのスプルスなどの軟材で構成されている。
【０００４】
一般に、木材は、その異方性および不均一性から、湿度や温度、特に前者の変化に伴って、反りや捻れなどの変形が発生しやすいという特性を有する。また、その変形の度合は、木材の種類によって異なる。これに対し、上述した従来の筬は、ブナなどの硬木とスプルスなどの軟材とから成る異種の木材の複合構成になっているため、筬全体として、湿度の変化に伴う反りや捻れが生じやすい。
【０００５】
そのような筬の変形が発生すると、その上に設置された鍵の位置や角度が変化するとともに、鍵とその上に載置されたアクションやハンマーとの位置関係なども変化する。特にグランドピアノの場合には、筬が棚板に載せられているだけで、固定されていないので、筬の変形は、鍵の設置高さなどに直接、影響を及ぼす。その結果、鍵のタッチ感が悪化するとともに、鍵、アクションやハンマーの適正な動作を確保できなくなることで、演奏に支障を来すおそれがあるとともに、これらの部品の働きを整えるための整調作業が非常に煩雑になってしまう。
【０００６】
また、ブナなどの硬木やスプルスなどの軟材は、成長が遅く、成長するまでに何十年という長い年月を要するため、筬の材料として用いると、資源の枯渇につながり、環境への負荷を増大させてしまう。
【０００７】
本発明は、このような課題を解決するためになされたものであり、湿度の変化に伴う筬の変形を抑制でき、それにより、鍵の適正な取付け状態を維持し、鍵の安定したタッチ感と適正な動作を確保できるとともに、環境への負荷を軽減することができる鍵盤楽器の筬を提供することを目的としている。
【０００８】
【特許文献１】特開平１０−１４３１４３号公報
【発明の開示】
【課題を解決するための手段】
【０００９】
上記の目的を達成するため、本願の請求項１に係る発明は、ピン孔を有する複数の鍵を載置した状態で支持する鍵盤楽器の筬であって、上下方向に積層されたおよび／または前後方向に接合された複数の竹材で構成され、左右方向に延びる筬本体と、筬本体に立設され、鍵がピン孔を介して係合するピンと、を備えていることを特徴とする。
【００１０】
この鍵盤楽器の筬では、ピンを立設した筬本体が、上下方向に積層された、および／または前後方向に接合された複数の竹材で構成されている。竹材は、湿度変化に対する高い寸法安定性を有する。また、本発明の筬本体は、そのような特性を有する竹材のみから成る単一構成であるので、硬木と軟材から成る異種の木材の複合構成である従来の筬と比較して、湿度変化に伴う反りや捻れなどの変形を十分に抑制することができる。また、竹材は、硬度も比較的高いので、ピンの保持力も十分に確保できる。
【００１１】
以上の結果、湿度が変化した場合でも、筬本体の上に設置された鍵の位置や角度を適正な状態に維持でき、それにより、鍵の安定したタッチ感と適正な動作を確保することができる。また、鍵の押鍵に連動して回動するアクションやハンマーが設けられる場合、鍵とアクションなどとの位置関係も適正に維持されるので、アクションおよびハンマーの適正な動作を確保でき、整調作業も非常に容易になる。
【００１２】
さらに、竹材は、従来の硬木や軟材よりも成長が非常に速く、３年程度で成長するので、環境への負荷を軽減することができる。また、竹材の材料コストは、従来の木材と変わらないので、筬の製造コストも、従前と変わらずに維持できる。
【００１３】
請求項２に係る発明は、請求項１に記載の鍵盤楽器の筬において、複数の竹材は、上下方向に積層されるとともに、前後方向に接合されており、ピンは、互いに隣接する前後２つの竹材の接合部以外の部位に立設されていることを特徴とする。
【００１４】
この構成では、強度的な弱部になりがちな竹材間の接合部には、ピンが通されないので、ピンの保持力を十分に確保することができる。
【発明を実施するための最良の形態】
【００１５】
以下、本発明の好ましい実施形態を、図面を参照しながら詳細に説明する。図１は、本発明の第１実施形態による筬１１を用いたグランドピアノの鍵盤装置を示している。この鍵盤装置１は、棚板２上に設けられた筬１１と、筬１１に載置された多数の鍵３（白鍵３ａおよび黒鍵３ｂ）（各１つのみ図示）と、アクション４（図２参照）などで構成されている。
【００１６】
筬１１は、筬前１２、筬中１３および筬後１４を有しており、これらは互いに平行に左右方向に延びている。筬１１の左右の端部には筬妻１５、１５が、両筬妻１５、１５の間には３つの筬中束１６が、それぞれ前後方向に延びるように設けられており、これらの筬妻１５および筬中束１６によって、筬前１２、筬中１３および筬後１４が互いに一体に連結されている。
【００１７】
図３および図４に示すように、筬前１２は、筬前本体１７と、筬前本体１７に立設された多数のフロントピン１８を有している。筬前本体１７は多数の竹材１９で構成されている。これらの竹材１９は、上下方向に６層、積層されるとともに、前後方向に６列、接合されており、接着によって一体化されている。
【００１８】
各竹材１９は、竹の素材を長さ方向に沿って切断し、板状に加工したものであり、例えば、その厚さは５〜６ｍｍ、幅は１４〜１５ｍｍである。竹材１９の厚さ方向（図３のＴ方向）、幅方向（Ｗ方向）および長さ方向（Ｌ方向）が、竹の素材の径方向、接線方向および長さ方向にそれぞれ相当する。
【００１９】
フロントピン１８は、白鍵用と黒鍵用のものがあり、それぞれ左右方向に１列に並んだ状態で、筬前本体１７に立設されている。また、フロントピン１８は、前後方向については、筬前本体１７の竹材１９、１９の前後方向の接合面から外れた位置に配置されている。各フロントピン１８には、リング状のパンチングクロス２０が取り付けられている。
【００２０】
図５に示すように、筬中１３は、筬中本体２１と、筬中本体２１に立設された多数のバランスピン２２を有している。筬中本体２１もまた、上述した筬前本体１７と同様、積層・接合された多数の竹材２３で構成されている。これらの竹材２３は、上下方向に６層、積層されるとともに、前後方向に５列、接合され、接着によって一体化された後、同図に示すような２つの頂部を有する所定の山形状の断面に切断されている。
【００２１】
各竹材２３は、竹の素材から、前述した竹材１９と同様の方法によって、作製されている。
【００２２】
バランスピン２２もまた、白鍵用と黒鍵用のものがあり、それぞれ左右方向に１列に並んだ状態で、筬中本体２１に立設されている。また、バランスピン２２は、前後方向については、筬中本体２１の竹材２３、２３相互の前後方向の接合面から外れた位置に配置されている。各バランスピン２２には、リング状のパンチングクロス２４が取り付けられている。
【００２３】
なお、筬１１の他の構成要素である筬後１４、筬妻１５および筬中束１６は、通常と同様、スプルスなどの軟材で構成されている。
【００２４】
図２に示すように、鍵３の中央には、上下方向に貫通するバランスピン孔３ｃが形成されている。バランスピン孔３ｃは、筬中１３に設けたバランスピン２２に係合しており、それにより、鍵３は、バランスピン２２を中心として、筬中１３に回動自在に支持されている。
【００２５】
また、鍵３の前端部の下面には、フロントピン穴３ｄが形成されている。フロントピン穴３ｄは、筬前１２に設けたフロントピン１８に係合しており、それにより、回動時、鍵３の前端部が左右にぶれないように案内される。また、離鍵状態では、鍵３の後端部は、筬後１４の上面に設けられた鍵盤枕クロス１４ａに載置されている。
【００２６】
また、筬中１３の下面には、丸型の頭部を有するボルトから成る複数の筬すべり金具３０（図１に１つのみ図示）が、左右方向に間隔を隔てて取り付けられている。筬１１は、これらの筬すべり金具３０の頭部が棚板２に接した状態で、棚板２に載置されている。この構成により、筬１１は、棚板２に対して前後方向および左右方向にスライド自在であるとともに、棚板２から前方に引き出せるようになっている。
【００２７】
また、筬１１の上面の左右の端部には、ブラケット台３１、３１が設けられており、それらの上に固定されたブラケット３２、３２（図２に１つのみ図示）を介して、前述したアクション４が取り付けられている。具体的には、左右のブラケット３２、３２の間にウィッペンレール６およびハンマーシャンクレール７が渡されており、ウィッペンレール６にウィッペン４ａが、ハンマーシャンクレール７にハンマー８が、それぞれ鍵３ごとに設けられ（ともに１つのみ図示）、回動自在に支持されている。また、各ウィッペン４ａは、鍵３のバランスピン２２よりも後ろ側に、キャプスタンスクリュー３ｅを介して載置されている。また、ウィッペン４ａにはジャック４ｂが回動自在に取り付けられている。
【００２８】
以上の構成により、鍵３が押鍵されると、鍵３がバランスピン２２を中心として、フロントピン１８で案内されながら、回動する。この鍵３の回動に伴い、キャップスタンスクリュー３ｅを介して、アクション４のウィッペン４ａが突き上げられ、上方に回動する。それに伴い、ジャック４ｂによってハンマー８が突き上げられ、上方に回動し、弦Ｓを打弦することによって、ピアノ音が発生する。
【００２９】
以上のように、本実施形態によれば、バランスピン２２を立設した筬中本体２１とフロントピン１８を立設した筬前本体１７がいずれも、上下方向および前後方向に積層・接合された複数の竹材１９、２３で構成されている。このように、筬中本体２１および筬前本体１７が、湿度に対する高い寸法安定性を有する竹材のみの単一構成であるので、湿度変化に伴う反りや捻れなどの変形を十分に抑制することができる。
【００３０】
また、竹材は、硬度も比較的高いので、バランスピン２２およびフロントピン１８の保持力を確保できる。また、本実施形態では特に、バランスピン２２およびフロントピン１８がそれぞれ、１列の竹材２３、１９の前後方向の中央に、すなわち互いに隣接する２列の竹材の接合部以外の部位に立設されているので、バランスピン２２およびフロントピン１８の保持力を十分に確保することができる。
【００３１】
したがって、湿度などが変化した場合でも、筬中本体２１および筬前本体１７の上に設置された鍵３の位置や角度が適正な状態に維持されるとともに、鍵３とアクション４およびハンマー８との位置関係も適正に維持される。その結果、鍵３の安定したタッチ感と、鍵３、アクション４およびハンマー８の適正な動作を確保できるとともに、整調作業も非常に容易になる。
【００３２】
さらに、竹材は、従来の硬木や軟材よりも成長が非常に速く、３年程度で成長するので、環境への負荷を軽減することができる。また、竹材の材料コストは、木材と変わらないので、筬の製造コストも、従前と変わらずに維持できる。
【００３３】
図６および図７は、本発明の第２実施形態による筬前を示している。この筬前４１は、筬前本体４２が前後方向に接合された多数の竹材４３で構成されていて、竹材４３が上下方向に積層されていない点が、第１実施形態の筬前本体１７と大きく異なっている。各竹材４３の厚さは、例えば５ｍｍである。また、筬前本体４２には、筬前本体１７と同じ位置にフロントピン１８が立設されている。
【００３４】
以上の構成の筬前４１によれば、フロントピン１８が竹材４３、４３間の接合部に通されることもあるが、その場合には、この接合部の接着強度を、フロントピン１８の埋込み時のはがれに抵抗できるように設定することによって、前述した第１実施形態の効果を同様に得ることができる。
【００３５】
なお、本発明は、上述した実施形態に限定されることなく、種々の態様で実施することができる。例えば、第２実施形態は筬前の例であるが、筬中を同様に構成してもよい。また、第１および第２実施形態は、鍵３の設置状態に比較的大きな影響を及ぼすとともに、比較的大きな荷重が作用する筬前１２、４１および筬中１３に、本発明を適用した例であるが、本発明は、これに限らず、筬後１４、さらには筬妻１５や筬中束１６に適用してもよいことはもちろんである。
【００３６】
さらに、筬中本体および筬前本体を構成する竹材の数や配置は、あくまで例示であり、適宜、変更することが可能である。例えば、竹材を上下方向にのみ積層してもよい。また、実施形態は、本発明をグランドピアノに適用した例であるが、本発明を、アップライトピアノや筬を有する他の鍵盤楽器に適用してもよいことはもちろんである。その他、細部の構成を、本発明の趣旨の範囲内で適宜、変更することが可能である。
【図面の簡単な説明】
【００３７】
【図１】本発明による筬を用いたグランドピアノの鍵盤装置を示す斜視図である。
【図２】図１の線Ａ−Ａに沿う断面図である。
【図３】筬前を示す部分斜視図である。
【図４】図３の筬前の拡大断面図である。
【図５】筬中の拡大断面図である。
【図６】第２実施形態による筬前を示す部分斜視図である。
【図７】図６の筬前の拡大断面図である。
【符号の説明】
【００３８】
３    鍵
３ａ  白鍵
３ｂ  黒鍵
３ｃ  バランスピン孔（ピン孔）
３ｄ  フロントピン穴（ピン孔）
１１    筬
１２    筬前
１３    筬中
１７    筬前本体（筬本体）
１８    フロントピン（ピン）
１９    竹材
２１    筬中本体（筬本体）
２２    バランスピン（ピン）
２３    竹材
４１    筬前
４２    筬前本体（筬本体）
４３    竹材
【図１】
2009169083.tif 000003
【図２】
2009169083.tif 000004
【図３】
2009169083.tif 000005
【図４】
2009169083.tif 000006
【図５】
2009169083.tif 000007
【図６】
2009169083.tif 000008
【図７】
2009169083.tif 000009